(57)【要約】【課題】テレビジョン画面において前記主映像の上に前記表示対象情報（チャンネル情報，音量情報等）を重畳表示させることは，ユーザがその主映像を見づらいと感じる問題が生じていた。【解決手段】映像信号に基づく映像を表示する映像表示手段と，映像表示機能を備えた外部の映像表示装置（例えば小型のテレビジョン受像機）との通信を行う通信手段とを具備した映像表示装置Ｘで，表示対象となる情報（チャンネル情報，音量情報等）をリモコン８で選択し，前記通信手段を通じて送信することにより，前記表示対象となる情報を前記外部の映像表示装置に表示させる。【選択図】図３
2008141562.tif 000002
【特許請求の範囲】
【請求項１】
映像信号に基づく映像を表示する映像表示手段と，映像表示機能を備えた外部の映像表示装置との通信を行う通信手段とを具備する映像表示装置であって，
前記映像表示手段に対して所定の鑑賞用の映像を表示させるための観賞用映像信号を出力する観賞用映像信号出力手段と，
前記鑑賞用映像信号出力手段による前記鑑賞用映像信号の出力中に，表示対象となる情報を設定する表示対象情報設定手段と，
前記表示対象情報設定手段により設定された前記表示対象となる情報又はその情報を表す映像信号を前記通信手段を通じて送信することにより，前記表示対象となる情報を前記外部の映像表示装置に表示させる表示対象情報外部出力手段と，
を具備してなることを特徴とする映像表示装置。
【請求項２】
前記表示対象情報設定手段が，所定の操作部に対する操作が検知された場合に，検知された操作に対応する前記表示対象となる情報を設定してなる請求項１に記載の映像表示装置。
【請求項３】
前記表示対象となる情報が，前記観賞用映像信号に対応する放送チャンネル情報，前記観賞用映像信号の供給元の情報，電子番組ガイド情報及び前記観賞用映像信号に対応する音声信号の音量情報のうちの１又は複数を前記表示対象となる情報として設定してなる請求項２に記載の映像表示装置。
【請求項４】
前記通信手段が，ＨＤＭＩ規格に準拠した信号伝送を行う信号伝送手段であり，
前記表示対象情報外部出力手段が，前記ＨＤＭＩ規格におけるＣＥＣ規格に準拠した信号伝送媒体であるＣＥＣラインを通じて前記表示対象となる情報を送信してなる請求項１〜３のいずれかに記載の映像表示装置。
【請求項５】
前記通信手段が，ＨＤＭＩ規格に準拠した信号伝送を行う信号伝送手段であり，
前記表示対象情報外部出力手段が，前記ＨＤＭＩ規格に準拠した信号伝送媒体であるＴＭＤＳラインを通じて前記表示対象となる情報を表す映像信号を送信してなる請求項１〜３のいずれかに記載の映像表示装置。
【請求項６】
前記表示対象情報外部出力手段による情報送信の実行前に前記ＣＥＣラインを通じて前記外部の映像表示装置が動作中であるか否かを検知する動作検知手段と，
前記動作検知手段により前記外部の映像表示装置が動作中でないことが検知された場合に前記ＣＥＣラインを通じて前記外部の映像表示装置に対して起動コマンドを送信する起動コマンド出力手段と，
を具備してなる請求項４又は５のいずれかに記載の映像表示装置。
【請求項７】
それぞれ映像表示機能を備えた第１の外部の映像表示装置及び第２の外部の映像表示装置それぞれとの通信を行う通信手段とを具備する映像処理装置であって，
前記第１の外部の映像表示装置に対して所定の鑑賞用の映像を表示させるための観賞用映像信号を前記通信手段を通じて送信する観賞用映像信号出力手段と，
前記鑑賞用映像信号出力手段による前記鑑賞用映像信号の出力中に，表示対象となる情報を設定する表示対象情報設定手段と，
前記表示対象情報設定手段により設定された前記表示対象となる情報又はその情報を表す映像信号を前記通信手段を通じて送信することにより，前記表示対象となる情報を前記第２の外部の映像表示装置に表示させる表示対象情報外部出力手段と，
を具備してなることを特徴とする映像処理装置。
【請求項８】
前記表示対象情報設定手段が，前記第１の外部の映像表示装置から前記通信手段を通じて得られる情報に基づいて前記表示対象となる情報を設定してなる請求項７に記載の映像処理装置。
【請求項９】
前記表示対象となる情報が，前記観賞用映像信号に対応する放送チャンネル情報及び音量情報，並びに所定の情報記憶媒体に前記観賞用映像信号の元になる画像データとともに記憶された情報のうちの１又は複数を前記表示対象となる情報として設定してなる請求項７又は８のいずれかに記載の映像処理装置。
【請求項１０】
前記通信手段が，ＨＤＭＩ規格に準拠した信号伝送を行う信号伝送手段であり，
前記観賞用映像信号出力手段が，前記ＨＤＭＩ規格に準拠した信号伝送媒体であるＴＭＤＳラインを通じて前記観賞用映像信号を送信し，
前記表示対象情報外部出力手段が，前記ＨＤＭＩ規格に準拠した信号伝送媒体であるＣＥＣラインを通じて前記表示対象となる情報を送信してなる請求項７〜９のいずれかに記載の映像処理装置。
【請求項１１】
前記通信手段が，ＨＤＭＩ規格に準拠した信号伝送を行う信号伝送手段であり，
前記観賞用映像信号出力手段及び前記表示対象情報外部出力手段が，それぞれ前記ＨＤＭＩ規格に準拠した信号伝送媒体であるＴＭＤＳラインを通じて前記観賞用映像信号及び前記表示対象となる情報を表す映像信号を送信してなる請求項７〜９のいずれかに記載の映像処理装置。
【請求項１２】
前記表示対象情報外部出力手段による情報送信の実行前に前記ＣＥＣラインを通じて前記第２の外部の映像表示装置が動作中であるか否かを検知する動作検知手段と，
前記動作検知手段により前記第２の外部の映像表示装置が動作中でないことが検知された場合に前記ＣＥＣラインを通じて前記第２の外部の映像表示装置に対して起動コマンドを送信する起動コマンド出力手段と，
を具備してなる請求項１０又は１１のいずれかに記載の映像処理装置。
【発明の詳細な説明】
【技術分野】
【０００１】
本発明は，映像表示装置及び映像表示装置に映像信号を出力する映像処理装置に関し，特に，鑑賞対象となる主映像の表示とその他の情報の表示とをそれぞれ別個の表示手段に表示させる映像表示装置及び映像処理装置に関するものである。
【背景技術】
【０００２】
昨今，液晶パネル等の薄型かつ大画面の表示手段の開発が進む中，大画面のテレビジョン受像機が普及しつつある。このような大画面のテレビジョン受像機のユーザは，映画やスポーツ等の映像を大きな画面で鑑賞することにより，家庭にいながらにして高い臨場感を感じることができる。その場合，テレビジョン受像機は，録画再生装置や衛星放送受信機等の外部装置と接続され，その外部装置から伝送されてくる映像信号に基づいて，映画やスポーツ等の映像を画面表示させることが多い。そして，ユーザが，大画面のテレビジョン受像機と比較的小画面のテレビジョン受像機とを所有し，それらを目的に応じて使い分けることも行われている。
なお，特許文献１には，２つのモニタ画面が存在する場合に，１つの映像について，一方のモニタ画面にその映像の全体を表示させ，もう一方のモニタ画面にその映像の中央部分を拡大した映像を表示させる技術が示されている。
【０００３】
一方，特許文献２に示されるように，テレビジョン受像機とその周辺機器（録画再生装置や衛生放送受信機等）等との複数の機器間で信号伝送を行う手段の１つとして，ＨＤＭＩ規格に準拠した信号伝送手段（以下，ＨＤＭＩインターフェースという）を利用すると利便性が向上する。このＨＤＭＩインターフェースは，外観上１本にまとめられたケーブルによってデジタルの映像信号及び音声信号を同時に伝送でき，シンプルな配線と劣化のない信号伝送とを実現できる。ここで，ＨＤＭＩインターフェースは，符号化されていない（非圧縮の）映像信号及び音声信号を伝送（ベースバンド方式で伝送）するため，機器間における信号の符号化方式の違いに影響されず，拡張性及び永続性（将来、新たな符号化方式を採用する機器とも接続できる可能性）に優れている。
なお，ＨＤＭＩインターフェースにおいて，映像信号及び音声信号を含む信号は，ＴＭＤＳ（Transition Minimized Differential Signaling）信号伝送ライン（以下，ＴＭＤＳラインという）を通じて高速伝送される。
また，ＨＤＭＩ規格は，さらにその中でＣＥＣ（Consumer Electronics Control）規格が規定されており，ＨＤＭＩインターフェースは，そのＣＥＣ規格に準拠した信号伝送ライン（以下，ＣＥＣラインという）を内包した信号伝送手段として構成される。このＣＥＣラインを内包するＨＤＭＩインターフェースは，ＴＭＤＳラインを通じた映像信号及び音声信号の伝送に加え，ＣＥＣラインを通じてその他の情報（制御情報など）を伝送することが可能である。なお，ＨＤＭＩインターフェースは，ＴＭＤＳラインを通じた映像信号及び音声信号の伝送は一方向にのみ可能であるが，ＣＥＣラインを通じた情報伝送は双方向で可能である。
このＣＥＣラインで接続された複数の機器では，ＣＥＣラインを制御する制御部が常時通電された状態に維持され，その制御部は，所定の通電切替回路を通じてそれ以外の機器（電子部品）に対する通電状態を切り替え可能に構成されている。このため，複数の機器がＣＥＣラインで接続されたシステムにおいて，ある機器がＣＥＣラインを通じて所定の起動コマンドを送信することにより，他の機器を自動起動（遠隔起動）させることができる。なお，後に参照する図１において，フロントマイコン９，２９，３９が前記制御部に相当する。
【０００４】
ところで，従来のテレビジョン受像機では，例えば音量調整の操作が行われたとき，音量の大きさを表す情報（バーグラフや数値など）が，テレビジョン画面（テレビジョン受像機の映像表示部）においてそのときに表示中の映像（鑑賞中の主映像）の上に重ね合わせて表示される。また，画質調整やその他のパラメータの設定操作が行われた場合も，同様にそれらの操作に対応した情報が，いわゆるＯＳＤ機能によってテレビジョン画面で表示中の前記主映像の上に重ねて表示される。
一方，昨今の録画再生装置は，放送信号に重畳された信号の抽出やインターネットを通じたデータ受信等によってＥＰＧ情報を取得し，そのＥＰＧ情報を含む選択メニューに基づく録画番組の選択機能や，録画データ（映像及び音声のデータ）と併せてその録画データに関連する番組タイトルや放送チャンネル，日時等のＥＰＧ情報（以下，録画データ付随ＥＰＧ情報という）を記憶部に記憶させる機能等を備えている。さらに，録画再生装置は，前記録画データの再生映像信号をテレビジョン受像機に対して出力中に，その再生映像信号に前記録画データ付随ＥＰＧ情報を重畳させる機能も備えている。これにより，前記テレビジョン画面には，再生中の主映像の上に前記録画データ付随ＥＰＧ情報が重ね合わされた映像が表示される。また，録画再生装置は，再生映像信号に再生開始後の経過時間や再生終了までの残り時間に関する情報（再生カウンタの情報等）を重畳させる機能を備えることもある。
以下，従来のテレビジョン受像機や録画生成装置において，主な鑑賞対象である前記主映像に重ね合わせて表示されるその他の情報（音量情報や前記録画データ付随ＥＰＧ情報，前記再生カウンタの情報等の鑑賞対象外の情報）を表示対象情報と称する。
【特許文献１】特開平３−２６５３８６号公報
【特許文献２】特開２００４−２０８２９０号公報
【発明の開示】
【発明が解決しようとする課題】
【０００５】
しかしながら，前記テレビジョン画面において前記主映像の上に前記表示対象情報を重畳表示させることは，ユーザがその主映像を見づらいと感じる問題が生じていた。特に，昨今の大画面のテレビジョン受像機においては，前記表示対象情報も大型の前記テレビジョン画面に大きく表示されることになり，前記主映像の美観が大きく損なわれる。一般に，大画面のテレビジョン受像機のユーザは，映画やスポーツ等の映像（前記主映像）を臨場感を感じながら鑑賞したいと強く望む場合が多く，そのようなユーザにとって，前記主映像の美観が損なわれることはその製品に対する満足度の低下にもつながる。
したがって本発明は，上記事情に鑑みてなされたものであり，その目的とするところは，主な鑑賞対象の映像である主映像を画面に表示させている最中に，これと同時に表示させる必要が生じた情報を，前記主映像が見づらい状態（美観を損なう状態）となることを回避しつつ表示させることが可能な映像表示装置及び映像処理装置を提供するものである。
【課題を解決するための手段】
【０００６】
上記目的を達成するために本発明は，映像信号に基づく映像を表示する映像表示手段と，映像表示機能を備えた外部の映像表示装置との通信を行う通信手段とを具備し，さらに以下の（１）〜（３）に示す各構成要素を備えた映像表示装置として構成されるものである。
（１）前記映像表示手段に対して所定の鑑賞用の映像（前記主映像に相当）を表示させるための観賞用映像信号を出力する観賞用映像信号出力手段。
（２）前記鑑賞用映像信号出力手段による前記鑑賞用映像信号の出力中に，表示対象となる情報（前記表示対象情報に相当）を設定する表示対象情報設定手段。
（３）前記表示対象情報設定手段により設定された前記表示対象となる情報又はその情報を表す映像信号を前記通信手段を通じて送信することにより，前記表示対象となる情報を前記外部の映像表示装置に表示させる表示対象情報外部出力手段。
このように構成された映像表示装置は，前記観賞用の映像と同時に表示させる必要がある情報（前記表示対象となる情報）を，前記観賞用の映像の表示部とは別の外部の映像表示装置の表示部に表示させることができる。これによって，前記観賞用の映像が見づらくなる状態（美観を損なう状態）にさせずに，前記表示対象となる情報も同時に表示させることができる。
例えば，（２）の前記表示対象情報設定手段は，所定の操作部に対する操作が検知された場合に，検知された操作に対応する前記表示対象となる情報を設定するもの等である。この場合の前記表示対象となる情報は，例えば，前記観賞用映像信号に対応する放送チャンネル情報，前記観賞用映像信号の供給元の情報，電子番組ガイド情報及び前記観賞用映像信号に対応する音声信号の音量情報等のうちの１つ又は複数である。
【０００７】
また，上記通信手段が，ＨＤＭＩ規格に準拠した信号伝送手段（以下，ＨＤＭＩインターフェースという）であれば好適である。この場合，前記表示対象情報外部出力手段は，前記ＨＤＭＩ規格におけるＣＥＣ規格に準拠した信号伝送媒体であるＣＥＣラインを通じて前記表示対象となる情報を送信すること，或いは前記ＨＤＭＩ規格におけるＴＭＤＳラインを通じて前記表示対象となる情報を表す映像信号を送信することが考えられる。
そして，当該映像表示装置が，前記ＣＥＣラインを通じて前記外部の映像表示装置が動作中であるか否かを検知し，前記外部の映像表示装置が動作中でないことが検知された場合に前記ＣＥＣラインを通じて前記外部の映像表示装置に対して起動コマンドを送信することが考えられる。これにより，前記外部の映像表示装置に関し，前記表示対象となる情報を表示させる必要があるときだけ自動起動させ，それ以外のときには電源オフの状態にしておくことができ，無駄な電力消費を削減することが可能である。さらに，当該映像表示装置が前記ＨＤＭＩインターフェースを通じて周辺の外部装置を制御することができる結果，ユーザは，当該映像表示装置に対する操作（リモコン操作を含む）以外の操作を意識する必要がなく，当該映像表示装置及びその周辺の外部装置を含むシステム全体の操作性が向上する。
【０００８】
一方，本発明は，自らは映像表示手段を備えず，外部の複数の映像表示装置に映像信号を出力する映像処理装置（例えば，録画再生装置等）として構成されたものも考えられる。即ち，それぞれ映像表示機能を備えた第１の外部の映像表示装置及び第２の外部の映像表示装置それぞれとの通信を行う通信手段とを具備し，さらに以下の（４）〜（６）に示す各構成要素を備えた映像処理装置として構成されるものである。
（４）前記第１の外部の映像表示装置に対して所定の鑑賞用の映像を表示させるための観賞用映像信号を，前記通信手段を通じて送信する観賞用映像信号出力手段。
（５）前記鑑賞用映像信号出力手段による前記鑑賞用映像信号の出力中に，表示対象となる情報を設定する表示対象情報設定手段。
（６）前記表示対象情報設定手段により設定された前記表示対象となる情報又はその情報を表す映像信号を前記通信手段を通じて送信することにより，前記表示対象となる情報を前記第２の外部の映像表示装置に表示させる表示対象情報外部出力手段。
このように構成された本発明に係る映像処理装置も，前述した本発明に係る映像表示装置と同様の作用効果を奏する。なお，前記第１の外部の映像表示装置が映像を表示する手段を備え，それが前述した本発明に係る映像表示装置が備える前記映像表示装置に相当することはいうまでもない。
この構成の場合には，（５）の前記表示対象情報設定手段が，前記第１の外部の映像表示装置から前記通信手段を通じて得られる情報に基づいて前記表示対象となる情報を設定することが考えられる。これによって，前記第１の外部の映像表示装置において前記表示対象となる情報（例えば音量の情報等）が生じた場合に，それを当該映像処理装置が中継して第２の外部の映像表示装置に表示させることができる。
具体的な前記表示対象となる情報は，前記観賞用映像信号に対応する放送チャンネル情報及び音量情報，並びに所定の情報記憶媒体に前記観賞用映像信号の元になる画像データとともに記憶された情報（例えば，ＤＶＤメディアに記憶された映画のタイトルやハードディスクドライブに記憶された録画番組のタイトル，放送時間等）のうちの１つ又は複数が考えられる。
【０００９】
また，当該映像処理装置においても，前記映像表示装置の場合と同様に，前記通信手段が前記ＨＤＭＩインターフェースであり，さらに，前記表示対象情報外部出力手段が，そのＨＤＭＩインターフェースにおける前記ＣＥＣライン又は前記ＴＭＤＳラインを通じて前記表示対象となる情報又はその情報を表す映像信号を送信することが考えられる。
そして前述した本発明に係る映像表示装置と同様に，当該映像処理装置も，前記ＣＥＣラインを通じて前記起動コマンドを送信することにより相手側の装置を自動起動させる前記起動コマンド出力手段を備えることが考えられる。このような映像処理装置は，前記ＨＤＭＩインターフェースを備えた前記映像表示装置と同様の作用効果を奏する。
【発明の効果】
【００１０】
本発明によれば，観賞用の主たる映像（前記観賞用の映像）と，これと同時に表示させる必要がある情報（前記表示対象となる情報）とが，それぞれ別個の表示手段に表示される。その結果，前記観賞用の映像が見づらい状態（美観を損なう状態）となることを回避しつつ，前記表示対象となる情報を表示させることができる。特に，大画面の映像表示手段に前記観賞用の映像（例えば，映画やスポーツの映像）が表示される場合に，その映像を鑑賞するユーザの臨場感を損なうことが回避され，これが本発明に係る装置に対するユーザの満足度向上につながる。また，本発明に係る装置が，周辺の外部装置とともにＨＤＭＩインターフェースを通じて通信を行うシステムを構成し，その中の１つの装置が他の装置を制御する（自動起動させる等）ことにより，ユーザは，その１つの装置に対する操作（リモコン操作を含む）以外の操作を意識する必要がなくなり，システム全体の操作性が向上する。
【発明を実施するための最良の形態】
【００１１】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに、図１は本発明の第１実施形態に係る映像表示装置Ｘと録画再生装置Ｙ及び外部の映像表示装置Ｚとが接続されたＡＶシステムの概略構成を表すブロック図，図２は映像表示装置Ｘが二次的情報を外部の映像表示装置に表示する手順を示すフローチャート，図３は本発明の第１実施形態における表示画面の一例を表す図，図４は本発明の第２実施形態に係る録画再生装置Ｙを含むＡＶシステムの概略構成を表すブロック図，図５は録画再生装置Ｙが二次的情報を第２の外部の映像表示装置に表示する手順を示すフローチャートである。
［第１実施形態］
まず，図１に示すブロック図を用いて，本発明の第１実施形態に係る映像表示装置Ｘの概略構成について説明する。
本発明の第１実施形態に係る映像表示装置Ｘは，後述する本発明の第２実施形態に係る映像処理装置の一例である録画再生装置Ｙと，もう１つの映像表示装置Ｚ（以下，外部の映像表示装置Ｚと称する）とに対し，ＨＤＭＩインターフェースにより接続され，全体としてＡＶシステムを構成している。
前記映像表示装置Ｘは，例えばテレビジョン受像機や映像表示手段を備えたＤＶＤレコーダーなどである。また，前記録画再生装置Ｙは，例えばハードディスクやＤＶＤに録画データを記録し，その記録データを再生するＨＤＤ型又はＤＶＤ型の録画再生装置等である。また，前記外部の映像表示装置Ｚも同様にテレビジョン受像機，映像表示手段を備えたＤＶＤレコーダー等である。
前記映像表示装置Ｘは，図１に示すように，チューナ１，映像処理部２，映像表示部５，制御部６，受光部（リモコンインターフェース）７，リモコン８，フロントマイコン９，ＯＳＤ発生部１１，メモリ１２，ＣＥＣインターフェース（図中，Ｉ／Ｆと表記）１３，ＨＤＭＩ入力部１４及びＨＤＭＩ出力部１５等を具備して構成されている。
【００１２】
チューナ１は，地上波放送信号やＢＳ衛星放送信号等の放送信号から，前記制御部６により指示される放送チャンネルの信号を抽出（選局）するとともに，その抽出信号の検波によって映像信号及び音声信号を取り出し，その映像信号及び音声信号の各々を映像処理部２及び音声切替部（不図示）各々へ伝送するものである。
また，ＣＥＣインターフェース１３，ＨＤＭＩ入力部１４（図中，ＨＤＭＩ−ＲＸと表記）及びＨＤＭＩ出力部１５（図中，ＨＤＭＩ−ＴＸと表記）は，ＨＤＭＩ規格に準拠した信号伝送インターフェースである（通信手段の一例）。このＨＤＭＩ入力部１４には，録画再生装置のＨＤＭＩ出力部２５からＴＭＤＳライン４１を通じてベースバンド方式で映像信号及び音声信号が入力される。また，ＨＤＭＩ出力部１５から外部の映像表示装置ＺのＨＤＭＩ入力部３４にＴＭＤＳライン４１を通じてベースバンド方式で映像信号及び音声信号が出力される。
前記ＣＥＣインターフェース１３は，ＨＤＭＩ規格におけるＣＥＣ規格に準拠した信号伝送インターフェースである。このＣＥＣインターフェース１３は，録画再生装置ＹのＣＥＣインターフェース２３及び外部の映像表示装置ＺのＣＥＣインターフェース３３との間で，ＣＥＣライン４２を通じて情報の送受信を行う。ＣＥＣインターフェース１３の受信情報の直接の伝送先及び送信情報の直接の供給元は，フロントマイコン９である。
【００１３】
前記映像表示部５は，液晶パネル及び液晶ドライバを備えた液晶表示部などにより構成され，映像処理部２から出力される映像信号に基づく映像を表示するものである（映像表示手段の一例）。
前記映像処理部２は，前記チューナ１，前記ＨＤＭＩ入力部１４及び前記ＯＳＤ発生部１１のそれぞれから映像信号を入力し，それら映像信号について各種の信号処理を行うものである。
例えば，この映像処理部２は，前記チューナ１及び前記ＨＤＭＩ入力部１４のいずれかから入力した映像信号に対し，前記ＯＳＤ発生部１１から入力した映像信号をスーパーインポーズする合成処理を実行する合成処理部４を備えている。
さらに，前記映像処理部２は，前記チューナ１，前記ＨＤＭＩ入力部１４及び前記ＯＳＤ発生部１１のいずれかから入力した映像信号，及び前記チューナ１及び前記ＨＤＭＩ入力部１４のいずれかから入力した映像信号に前記合成処理を施した後の映像信号のうちの任意の１つの映像信号を，制御部６からの指示に従って選択し，選択した映像信号を前記映像表示部５に対して出力する切替部３を備えている。
ここで，前記チューナ１及び前記ＨＤＭＩ入力部１４から前記映像処理部２に入力される映像信号は，放送信号に基づく放送番組の映像や，前記録画再生装置Ｙで再生されるビデオ映像等の鑑賞用の映像を前記映像表示部５等に表示させるための映像信号であり，以下，この映像信号のことを観賞用映像信号といい，その観賞用映像信号に基づく映像を観賞用映像という。従って，前記映像処理部２は，前記映像表示部５に対し，前記観賞用映像信号を出力する前記観賞用映像信号出力手段の一例である。
一方，前記ＯＳＤ発生部１１から前記映像処理部２に入力される映像信号は，音量情報や放送チャンネルの識別情報，ＥＰＧ情報等，前記観賞用映像の表示中（前記映像処理部２による前記観賞用映像信号の出力中）に，その観賞用映像と同時に表示させたい二次的な情報（前記表示対象となる情報に相当）を表示させるための映像信号であり，以下，その情報を二次的情報といい，その二次的情報の表示用の映像信号を二次的情報映像信号という。
さらに，映像処理部２は，チューナ１により抽出された番組の放送信号から，そこに含まれるＥＰＧ情報（電子番組ガイド情報）を抽出して制御部６に引き渡すＥＰＧ抽出機能も備えている。
【００１４】
前記制御部６は，演算手段であるＭＰＵ，そのＭＰＵによって実行される制御プログラムが予め格納される記憶手段であるＲＯＭ（ＥＰＲＯＭ），ＭＰＵが実行する処理において読み書きされる各種情報を記憶するＥＥＰＲＯＭ等を備え，当該映像表示装置Ｘ全体を制御するものである。以下に示す制御部６の処理や機能は，ＭＰＵがＲＯＭに記憶されたプログラムを実行することによって実現される。
また，前記制御部６は，前記前記映像処理部２による前記観賞用映像信号の出力中に，前記二次的情報を設定し，その二次的情報を前記ＯＳＤ発生部１１に引き渡す処理も実行する（前記表示対象情報設定手段の一例）。例えば，前記制御部６は，音量調整の場合に，音量情報を前記二次的情報として設定し，また，放送チャンネル表示の場合に，放送チャンネル情報を前記二次的情報として設定する。
前記リモコン８は，当該映像表示装置Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。この操作入力部には，前記二次的情報の表示モードを切り替えるための操作キーであるＯＳＤ分離キーも設けられている。前記ＯＳＤ分離キーは，前記二次的情報の映像を，前記合成処理によって前記映像表示部５で表示中の前記観賞用映像に合成して表示させる合成モードと，前記観賞用映像とは別個に（分離させて）他の映像表示部に表示させる分離モードとを切り替えるための操作キーである。前記分離モードにおいては，前記映像処理部２が，前記ＯＳＤ発生部１１により生成される前記二次的情報映像信号を，ＴＭＤＳライン４１を通じて前記外部の映像表示装置Ｚに送信する。これにより，前記二次的情報の映像が，前記外部の映像表示装置Ｚが備える映像表示部３５によって表示される。なお，前記二次的情報の表示モードの初期状態は前記合成モードである。
また，前記無線信号出力回路は，前記操作入力部から伝送されてくる信号（即ち，映像表示装置Ｘの動作の制御信号）を，無線信号（例えば，赤外線信号）に変換し，当該リモコン８から映像表示装置本体側へ無線伝送するものである。
一方，前記受光部７は，前記リモコン８から伝送される無線信号（赤外線信号等）を受信し，これを電気信号に変換することにより，リモコン８から伝送される各種情報を取得するとともに，その取得情報を制御部６に伝送するものである。
前記フロントマイコン９は，制御部６と，受光部７及びＣＥＣインターフェース１３との間で情報伝送を中継する処理を実行するマイクロコンピュータである。
【００１５】
次に，録画再生装置Ｙの概略構成について説明する。前記録画再生装置Ｙは，図１に示すように，チューナ２１，映像処理部２２，ＣＥＣインターフェース（Ｉ／Ｆ）２３，ＨＤＭＩ出力部２５，制御部２６，録画再生部２７及びフロントマイコン２９等を具備して構成されている。
ここで，チューナ２１，映像処理部２２，ＣＥＣインターフェース（Ｉ／Ｆ）２３，ＨＤＭＩ出力部２５，制御部２６，及びフロントマイコン２９は，それぞれ映像表示装置Ｘにおけるチューナ１，映像処理部２，ＣＥＣインターフェース（Ｉ／Ｆ）１３，ＨＤＭＩ出力部１５，制御部６及びフロントマイコン９と同様のものである。
録画再生部２７は，放送番組の録画処理及び録画番組の再生処理を実行するものである。即ち，録画再生部２７は，チューナ２１により抽出された番組の放送信号（映像信号及び音声信号）を映像処理部２２を通じて取得し，圧縮符号化して内部に持つＨＤＤ等のメモリに記録する録画処理を実行する。さらに，録画再生部２７は，前記ＨＤＤ等に録画（記録）された放送番組のデータを復号化しながら映像処理部２２に引き渡す。前記映像処理部２２は，ＨＤＭＩ出力部２５を通じて外部出力する再生処理を実行する。
映像処理部２２は，チューナ２１により抽出された番組の放送信号から，そこに含まれるＥＰＧ情報（電子番組ガイド情報）を抽出して録画再生部２７へ引き渡すＥＰＧ取得機能も備えている。このＥＰＧ情報は，録画予約処理の際の予約番組の選択メニュー画面を生成する処理や，録画された番組（録画番組）の映像信号及び音声信号に関連付けてＨＤＤに記録される番組のタイトルや放送日時等を特定する処理を実行する際に用いられる。
ＨＤＭＩ出力部２５（図中，ＨＤＭＩ−ＴＸと表記）は，ＨＤＭＩ規格に準拠した信号伝送インターフェースである。このＨＤＭＩ出力部２５は，ＴＭＤＳライン４１を通じて，映像表示装置ＸのＨＤＭＩ入力部１４に対し，ベースバンド方式で映像信号及び音声信号を出力する。
ＣＥＣインターフェース２３は，映像表示装置ＸにおけるＣＥＣインターフェース１３と同様に，ＨＤＭＩ規格におけるＣＥＣ規格に準拠した信号伝送インターフェースである。このＣＥＣインターフェース２３は，ＣＥＣライン４２を通じて，映像表示装置ＸのＣＥＣインターフェース１３及び外部の映像表示装置Ｚのインターフェース３３との間で情報の送受信を行う。ＣＥＣインターフェース２３の受信情報の直接の伝送先及び送信情報の直接の供給元は，フロントマイコン２９である。
制御部２６は，演算手段であるＭＰＵ，そのＭＰＵよって実行される制御プログラムが予め格納される記憶手段であるＲＯＭ（ＥＰＲＯＭ），ＭＰＵが実行する処理において読み書きされる各種情報を記憶するＥＥＰＲＯＭ等を備え，当該録画再生装置Ｙ全体を制御するものである。以下に示す制御部２６の処理や機能は，ＭＰＵがＲＯＭに記憶されたプログラムを実行することによって実現される。
また，録画再生装置Ｙの制御部２６は、録画再生部２７によってＨＤＤ等に記録されたＥＰＧ情報と，同じく予めＨＤＤに記録される番組予約情報とに基づいて，放送番組（映像及び音声）の予約録画を行う予約録画機能も有している。なお，予約録画機能は周知の機能であるので，ここでは詳細な説明は省略する。
また，制御部２６は，録画再生部２７によって放送番組の録画が実行される際に，その録画データに関連付けて録画番組の識別情報（例えば，番組のタイトル等）をＨＤＤ等に記録する。この録画番組の識別情報は，録画再生部２７によって抽出されたＥＰＧ情報に含まれる情報である。
さらに，前記制御部２６は，前記前記映像処理部２２による前記観賞用映像信号の出力中に，前記二次的情報を設定し，その二次的情報を前記映像処理部２２に引き渡す処理も実行する（前記表示対象情報設定手段の一例）。
なお，後述するように，録画再生装置Ｙは，映像表示装置Ｘからの要求（指示）に応じて，前記録画番組の識別情報を含む録画番組情報等を映像表示装置Ｘに引き渡す。
なお，図１には図示していないが，当該録画再生装置Ｙも，前記映像表示装置Ｘが備える前記リモコン８及び前記受光部７に相当するリモコン及び受光部を備え，そのリモコンに対する操作に応じた情報が，受光部及びフロントマイコン２９を通じて前記制御部２６に伝送される。
【００１６】
次に，外部の映像表示装置Ｚの概略構成について説明する。前記外部の映像表示装置Ｚは，図１に示すように，チューナ３１，映像処理部３２，ＣＥＣインターフェース（Ｉ／Ｆ）３３，ＨＤＭＩ入力部３４，制御部３６及びフロントマイコン３９等を具備して構成されている。
ここで，チューナ３１，映像処理部３２，ＣＥＣインターフェース（Ｉ／Ｆ）３３，ＨＤＭＩ入力部３４，制御部３６及びフロントマイコン３９は，それぞれ映像表示装置Ｘにおけるチューナ１，映像処理部２，ＣＥＣインターフェース（Ｉ／Ｆ）１３，ＨＤＭＩ入力部１４，制御部６及びフロントマイコン９と同様のものである。
ＨＤＭＩ入力部３４（図中，ＨＤＭＩ−ＲＸと表記）は，ＨＤＭＩ規格に準拠した信号伝送インターフェースである。このＨＤＭＩ入力部３４は，ＴＭＤＳライン４１を通じて，映像表示装置ＸのＨＤＭＩ出力部１５から，ベースバンド方式で映像信号及び音声信号が入力される。
ＣＥＣインターフェース３３は，映像表示装置ＸにおけるＣＥＣインターフェース１３と同様に，ＨＤＭＩ規格におけるＣＥＣ規格に準拠した信号伝送インターフェースである。このＣＥＣインターフェース３３は，ＣＥＣライン４２を通じて，映像表示装置ＸのＣＥＣインターフェース１３及び録画再生装置Ｙのインターフェース２３との間で情報の送受信を行う。ＣＥＣインターフェース３３の受信情報の直接の伝送先及び送信情報の直接の供給元は，フロントマイコン３９である。
また，外部の映像表示装置Ｚにおいて，ＨＤＭＩインターフェースのＨＤＭＩ入力部３４及びＣＥＣインターフェース３３と，フロントマイコン３９と，当該外部の映像表示装置Ｚが商用電源に接続されている状態では，常時通電された状態となっている。一方，チューナ３１や映像処理部３２及び制御部３６等は，当該外部の映像表示装置Ｚが商用電源に接続されている状態において，それらへの通電がなされた稼動状態と，それらへの通電が遮断された待機状態との２状態に切り替えられる。その２状態の切り替えは，フロントマイコン３９が不図示の通電スイッチの切り替え制御を行うことにより実現される。
即ち，フロントマイコン３９は，当該外部の映像表示装置Ｚが前記待機状態である場合に，映像表示装置ＸからＣＥＣインターフェース３３を通じて自装置宛の何らかのコマンドが受信されたことを検知すると，前記通電スイッチをＯＦＦ状態からＯＮ状態へ切り替えることにより，当該外部の映像表示装置Ｚを前記待機状態から前記稼動状態へ切り替える（即ち、起動する）。
また，フロントマイコン３９は，当該外部の映像表示装置Ｚが前記稼動状態である場合に，映像表示装置ＸからＣＥＣインターフェース３３を通じて停止コマンドが受信されたことを検知すると，前記通電スイッチをＯＮ状態からＯＦＦ状態へ切り替えることにより，当該外部の映像表示装置Ｚを前記稼動状態から前記待機状態へ切り替える。
これにより，外部の映像表示装置Ｚは，映像表示装置Ｘからのリモート制御によって，前記稼動状態と前記待機状態との切り替えが行われる。
【００１７】
以下，図２のフローチャートを用いて，本発明の第１実施形態に係る映像表示装置Ｘの前記制御部６が実行する，表示対象情報を外部の映像表示装置に表示する手順の一例について説明する。なお，以下，Ｓ１，Ｓ２，…は，処理手順（ステップ）の識別符号を表す。
また，前記制御部６は，予めＲＯＭ等に記憶された制御プログラムに従って，以下に示す処理を実行し，また，その処理を，前記映像処理部２が前記観賞用映像信号を前記映像表示部５に対して出力中に開始させる。
まず，前記制御部６が，前記受光部７からの入力情報を監視することにより，前記リモコン８において前記ＯＳＤ分離キーの押下操作がなされたか否かを検知する処理を，その操作を検知するまで繰り返す（Ｓ１）。そして，前記制御部６は，前記ＯＳＤ分離キーの操作があったことを検知した場合（Ｙｅｓ），処理を次のステップＳ２へ移行させる。
次に，ステップＳ２において，前記制御部６は，その時点の前記二次的情報の表示モードが前記合成モードであるか前記分離モードでるかを判別する。具体的には，前記制御部６は，その主メモリに記憶している前記二次的情報の表示モードを表すフラグ情報の値が，前記分離モードを表す値であるか前記合成モードを表す値であるかによってモード判別を行う。ここで，前記制御部６は，前記合成モードであると判別した場合は，処理を次のステップＳ３へ移行させ，前記分離モードであると判別した場合には，処理を後述するステップＳ１０へ移行させる。
【００１８】
次に，ステップＳ３において，前記制御部６は，前記二次的情報の表示モードを前記合成モードから前記分離モードへ切り替える。具体的には，前記制御部６は，その主メモリに記憶している前記二次的情報の表示モードを表すフラグ情報の値を，前記分離モードを表す値に設定（更新）する。
次に，ステップＳ４において，前記制御部６は，前記ＣＥＣインターフェース１３及び前記ＣＥＣライン４２を通じて前記外部の映像表示装置Ｚが動作中であるか否かを検知する（前記動作検知手段の一例）。ここで，動作中とは，前記外部の映像表示装置Ｚが備える映像表示部３５や映像処理部３２に電力が供給されており，その映像表示部３５による映像表示が可能な状態である。
例えば，前記制御部６は，前記ＣＥＣインターフェース１３及び前記ＣＥＣライン４２を通じて前記外部の映像表示装置Ｚに対して所定の問合せを行い，これに対する応答に基づいて前記外部の映像表示装置Ｚが動作中であるか否かを検知する。このステップＳ４において，前記外部の映像表示装置Ｚが動作中でないことが検知された場合（Ｎｏ），前記制御部６は，前記ＣＥＣインターフェース１３及び前記ＣＥＣライン４２を通じて前記外部の映像表示装置Ｚに対して起動コマンドを送信する（Ｓ５）（前記起動コマンド出力手段の一例）。これにより，前記外部の映像表示装置Ｚにおいて，前記フロントマイコン３９が不図示の給電スイッチ回路を制御することにより，前記映像表示部３５及び前記映像処理部３２を含む各機器に対する電力供給を開始させ，前記外部の映像表示装置Ｚが自動的に起動する。一方，ステップＳ４において，前記外部の映像表示装置Ｚが動作中であることが検知された場合（Ｙｅｓ），前記制御部６は，処理をステップＳ６へ移行させる。
このように，前記制御部６は，前記二次的情報の表示モードが前記分離モードである場合にのみ，即ち，前記二次的情報映像信号を前記外部の映像表示装置Ｚに対して出力する必要があるときにのみ，ＨＤＭＩインターフェースを通じて前記外部の映像表示装置Ｚを強制的に起動させる。その結果，前記外部の映像表示装置Ｚは，前記二次的情報を表示する必要がないときには電源オフ（非動作中）の状態となり，無駄に電力を消費しない。また，ユーザが，わざわざ前記外部の映像表示装置Ｚを起動させる操作を行う必要がなく，操作が簡便である。
【００１９】
次のステップＳ６及びステップＳ７では，前記制御部６が，前記受光部７からの入力情報を監視することにより，前記リモコン８において前記二次的情報の表示が必要となる操作（以下，二次的情報表示操作という）がなされたか否かを検知する処理と，ステップＳ１と同様に前記ＯＳＤ分離キーの操作がなされたか否かを検知する処理とを，そのいずれかを検知するまで繰り返す（Ｓ６，Ｓ７）。そして，前記制御部６は，前記二次的情報表示操作があったことを検知した場合（Ｓ６のＹｅｓ），処理を次のステップＳ８へ移行させ，前記ＯＳＤ分離キーの操作があったことを検知した場合（Ｓ７のＹｅｓ），処理を後述するステップＳ１０へ移行させる。
ここで，前記二次的情報表示操作とは，例えば，次の（ａ）〜（ｄ）に示す操作が考えられる。
（ａ）音量調整の情報の表示が必要となる音量調整キーの操作。なお，前記音量調整の情報は，前記制御部６が，前記音量調整キーの操作の検知結果に応じて設定し，その制御部６が備えるＥＥＰＲＯＭに記憶させる情報である。
（ｂ）現在鑑賞中（前記映像表示部５に表示中）の前記観賞用映像に対応する番組のタイトルや放送時間帯等の番組情報の表示が必要となる番組情報キーの操作。なお，前記番組情報は，前記制御部６が，前記映像処理部２から取得して前記ＥＥＰＲＯＭに記憶させているＥＰＧ情報から，前記観賞用映像に対応するものを抽出する情報である。
（ｃ）現在鑑賞中の前記観賞用映像に対応する番組のチャンネルの識別情報（チャンネル情報の一例），及び現在出力中の前記観賞用映像信号の供給元の情報（内蔵チューナ１や外部装置など）の表示が必要となるチャンネル表示キーの操作。なお，前記チャンネルの識別情報や前記供給元の情報は，前記制御部６が，前記チューナ１や前記映像処理部２を制御する際に前記ＥＥＰＲＯＭに記憶させる情報である。
（ｄ）前記映像表示部５の画像調整の情報（明るさ，コントラスト，色合い等）の表示が必要となる映像調節キーの操作。なお，前記画像調整の情報は，前記制御部６が，所定の画像調整処理を実行することにより，予め前記ＥＥＰＲＯＭに記憶させている情報である。
ステップＳ８では，前記制御部６が，ステップＳ６で検知した前記二次的情報表示操作に対応する情報（前記（ａ）〜（ｄ）に示した情報）を前記二次的情報として設定し，その二次的情報を前記ＯＳＤ発生部１１に引き渡す。これにより，前記ＯＳＤ発生部１１が，前記制御部６により設定された前記二次的情報を表す映像信号（前記二次的情報映像信号）を生成し，その映像信号を前記映像処理部２へ伝送する。
【００２０】
次のステップＳ９では，前記映像処理部２が，前記制御部６からの制御指令に従って，ステップＳ８で設定された前記二次的情報に対応する映像信号（即ち，前記ＯＳＤ発生部１１から入力した前記二次的情報映像信号）を，前記ＨＤＭＩ出力部１５及び前記ＴＭＤＳライン４１を通じて前記外部の映像表示装置Ｚに出力する。なお，前記映像処理部２は，前記映像表示部５に対して前記観賞用映像信号を出力する処理と，前記外部の映像表示装置Ｚに前記二次的情報映像信号を出力する処理とを並行して実行する。
図３は，本発明の第１実施形態における表示画面の一例である。図３には，前記映像表示部Ｘにおける前記映像表示部５に前記観賞用映像ｇ１が表示され，それと同時に，前記外部の映像表示装置Ｚにおける前記映像表示部３５に前記二次的情報の映像ｇ２が表示されている様子を表す画面の一例が示されている。
図３に示すように，前記映像表示装置Ｘ及び前記外部の映像表示装置Ｚを含むＡＶシステムにおいては，前記観賞用映像と同時に表示させる必要がある前記二次的情報（前記表示対象となる情報に相当）の映像ｇ２が，前記観賞用映像ｇ１を表示する前記映像表示部５とは別の前記外部の映像表示装置Ｚの映像表示部３５に表示される。その結果，前記映像表示装置Ｘは，前記観賞用映像ｇ１が見づらくなる状態（美観を損なう状態）を生じさせることなく，前記二次的情報の映像ｇ２も同時に表示させることができる。
【００２１】
一方，ステップＳ２において前記二次的情報の表示モードが前記合成モードであると判別された場合（Ｓ２のＮｏ），或いはステップＳ７において前記ＯＳＤ分離キーの操作が検知された場合（Ｓ７のＹｅｓ），前記制御部６は，ステップＳ１０において，前記二次的情報の表示モードを前記分離モードから前記合成モードへ切り替える。具体的には，前記制御部６は，その主メモリに記憶している前記二次的情報の表示モードを表すフラグ情報の値を，前記合成モードを表す値に設定（更新）する。
次に，ステップＳ１１において，前記制御部６は，合成モード時における前記二次的情報の表示処理を実行し（Ｓ１１），その後，処理をステップＳ１へ移行させる。
このステップＳ１１では，前記制御部６は，前記二次的情報表示操作があったことを検知した場合に，その操作に対応する前記二次的情報を前記観賞用映像の上に合成（スーパーインポーズ）させて前記映像表示部５に表示させる従来周知の処理を実行する。
【００２２】
ところで，以上に示した第１実施形態では，前記二次的情報をＴＭＤＳライン４１を通じて映像信号として前記外部の映像表示装置Ｚに出力する例を示した。しかしながら，前記二次的情報を，ＣＥＣライン４２を通じてテキスト情報として前記外部の映像表示装置Ｚへ出力し，その二次的情報（テキスト情報）を前記外部の映像装置Ｚにおいて映像信号化することも考えられる。この場合，ステップＳ８では，前記制御部６が，設定した前記二次的情報信号をテキスト情報として前記フロントマイコン９へ伝送する。そして，次のステップＳ９では，前記フロントマイコン９が，前記制御部６からの制御指令に従って，ステップＳ８で設定された前記二次的情報を，前記ＣＥＣインターフェース１３及び前記ＣＥＣライン４２を通じてテキスト情報として前記外部の映像表示装置Ｚに出力する。
一方，前記二次的情報をテキスト情報として受信した前記外部の映像表示装置Ｚにおいては，その二次的情報が，前記ＣＥＣインターフェース３３，前記フロントマイコン３９及び前記制御部３６を通じて前記映像処理部３２に伝送される。さらに，前記映像処理部３２は，前記二次的情報を映像信号に変換し，その映像信号を前記映像表示部３５に出力することにより，前記映像表示部３５に前記二次的情報の映像を表示させる。
【００２３】
［第２実施形態］
次に，図１及び図４のブロック図を使用して，本発明の第２実施形態について説明する。本発明の第２実施形態に係る映像処理装置の一例である録画再生装置Ｙの概略構成は，図１を使って前述した通りである。この第２実施形態においては，録画再生装置Ｙは，図４に示すように，ＨＤＭＩインターフェースのＴＭＤＳライン４１により，前記映像表示装置Ｘと前記外部の映像表示装置Ｚとのそれぞれに接続され，そのＴＭＤＳライン４１を通じて，ベースバンド方式で映像信号及び音声信号を出力する。なお，この第２実施形態においては，便宜上，前記映像表示装置Ｘのことを第１の外部の映像表示装置Ｘと称し，前記外部の映像表示装置Ｚのことを第２の外部の映像表示装置Ｚと称する。
また，第２実施形態においては，前記録画再生装置Ｙは，ＨＤＭＩインターフェースにおけるＣＥＣライン４２により，前記第１の外部の映像表示装置Ｘ及び前記第２の外部の映像表示装置Ｚのそれぞれと接続されている。そして，録画再生装置ＹのＣＥＣインターフェース１３は，そのＣＥＣライン４２を通じて，両映像表示装置Ｘ，Ｚそれぞれとの間で情報の送受信を行うことができる（通信手段の一例）。
なお，本発明の第２実施形態に係る映像処理装置は，例えばＤＶＤレコーダー等である前記録画再生装置Ｙの他，衛生放送や有線放送のチューナ等として実施されることも考えられる。
【００２４】
以下，図５に示すフローチャートを参照しつつ，録画再生装置Ｙが，前記二次的情報を前記第２の外部の映像表示装置Ｚに表示する手順について説明する。第１実施形態では，前記二次的情報をＴＭＤＳライン４１を通じて，外部の映像表示装置に出力する例を示したが，第２形態では，前記二次的情報をＣＥＣライン４２を通じて，第２の外部の映像表示装置Ｚに出力する例を示す。なお，以下，Ｓ２１，Ｓ２２，…は，処理手順（ステップ）の識別符号を表す。
図５に示す各ステップの処理は，前記録画再生装置Ｙの前記制御部２６が，予めＲＯＭ等に記憶された制御プログラムに従って実行する。また，図５に示すステップＳ２１〜Ｓ３１の各処理は，それぞれ図２に示すステップＳ１〜Ｓ１１の各処理に相当する。
また，前記制御部２６は，図５に示す各ステップの処理を，前記映像処理部２２が前記観賞用映像信号をＨＤＭＩ出力部２５からＴＭＤＳライン４１を通じて，第１の外部の映像表示装置Ｘに対して出力中に開始させる。
この第２実施形態において，ユーザにより操作されるリモコンは，前記録画再生装置Ｙが備えるリモコンであるものとする。したがって，前記録画再生装置Ｙ用のリモコンには，第１実施形態における前記映像表示装置Ｘ用の前記リモコン８と同様に，前記ＯＳＤ分離キーと，第１の外部の映像表示装置Ｘ及び第２の外部の映像表示装置Ｚのそれぞれの音量を調整する為の音量調整キー及び当該リモコンによる制御対象を第１の外部の映像表示装置Ｘにするか第２の外部の映像表示装置Ｚにするかを切り替える制御先切替キー等が設けられている。
そして，前記録画再生装置Ｙにおける前記制御部２６は，前記制御先切替キーの操作があったことを検知するごとに，リモコン操作に応じた以後の制御対象を前記第１の外部の映像表示装置Ｘとするか，或いは前記第２の外部の映像表示装置Ｚとするかを切り替える。なお，この第２実施形態においては，前記制御先切替キーによって前記録画再生装置Ｙ用のリモコンの操作に応じた制御対象が前記第１の外部の映像表示装置Ｘ側に設定されているものとする。
【００２５】
まず，前記制御部２６は，ステップＳ２１〜Ｓ２３において，前記映像表示装置Ｘの前記制御部６によるステップＳ１〜Ｓ３の処理と同じ処理を実行する。
次に，ステップＳ２４において，前記制御部２６は，前記ステップＳ４の処理と同様に，前記ＣＥＣインターフェース２３及び前記ＣＥＣライン４２を通じて前記第２の外部の映像表示装置Ｚが動作中であるか否かを検知する（前記動作検知手段の一例）。
このステップＳ２４において，前記第２の外部の映像表示装置が動作中でないことが検知された場合（Ｎｏ），前記制御部２６は，前記ステップＳ５の処理と同様に，前記ＣＥＣインターフェース２３及び前記ＣＥＣライン４２を通じて前記第２の外部の映像表示装置Ｚに対して起動コマンドを送信する（前記起動コマンド出力手段の一例）。これにより，前記第２の外部の映像表示装置Ｚが自動的に起動する。一方，ステップＳ２４において，前記第２の外部の映像表示装置Ｚが動作中であることが検知された場合（Ｙｅｓ），前記制御部２６は，処理をステップＳ２６へ移行させる。
【００２６】
次のステップＳ２６及びステップＳ２７では，前記制御部２６が，前記ステップＳ６及びＳ７の処理と同様に，受光部（不図示）からの入力情報を監視することにより，録画再生装置Ｙのリモコンにおいて前記二次的情報の表示が必要となる操作（前記二次的情報表示操作）がなされたか否かを検知する処理と，前記ＯＳＤ分離キーの操作がなされたか否かを検知する処理とを，そのいずれかを検知するまで繰り返す（Ｓ２６，Ｓ２７）。そして，前記制御部２６は，前記二次的情報表示操作があったことを検知した場合（Ｓ２６のＹｅｓ），処理を次のステップＳ２８へ移行させ，前記ＯＳＤ分離キーの操作があったことを検知した場合（Ｓ２７のＹｅｓ），処理を後述するステップＳ３０へ移行させる。なお，第２実施形態における前記二次的情報表示操作とは，例えば，次の（ｅ）〜（ｈ）に示す操作が考えられる。
（ｅ）音量調整の情報（音量レベルの情報）の表示が必要となる音量調整キーの操作。なお，前記音量調整の情報は，前記制御部２６が前記第１の外部の映像表示装置Ｘから取得する情報である。具体的には，前記制御部２６が，前記音量調整キーの操作を検知した場合に，その操作の情報（音量アップ又は音量ダウン）をフロントマイコン２９及びＣＥＣライン４２を通じて前記第１の外部の映像表示装置Ｘに対して送信し，これに応じて返信される前記音量調整の情報をＣＥＣライン４２及びフロントマイコン２９を通じて受信（取得）する。また，前記第１の外部の映像表示装置Ｘの制御部６は，ＣＥＣライン４２を通じて前記音量調整キーの操作の情報（音量アップ又は音量ダウン）を受信した場合に，前記リモコン８の音量調整キーの操作を検知した場合と同様に音量調整処理を実行するとともに，その処理結果として前記音量調整の情報（音量レベルの情報）を，ＣＥＣライン４２を通じて前記録画再生装置Ｙに送信（応答）する。
（ｆ）現在鑑賞中（前記第１の外部の映像表示装置に出力中）の前記観賞用映像に対応する番組のタイトルや放送時間帯等の番組情報の表示が必要となる番組情報キーの操作。なお，前記番組情報は，前記制御部２６が，前記映像処理部２２や録画再生部２７から取得して前記ＥＥＰＲＯＭに記憶させているＥＰＧ情報から，前記観賞用映像に対応するものを抽出する情報である。
（ｇ）現在鑑賞中の前記観賞用映像に対応する番組のチャンネルの識別情報（チャンネル情報の一例），及び現在出力中の前記観賞用映像信号の供給元の情報（内蔵チューナ２１など）の表示が必要となるチャンネル表示キーの操作。なお，前記チャンネルの識別情報や前記供給元の情報は，前記制御部２６が，前記チューナ２１，前記映像処理部２２や録画再生部２７を制御する際に前記ＥＥＰＲＯＭに記憶させる情報である。
（ｈ）現在鑑賞中の再生映像信号に再生開始後の経過時間や再生終了までの残り時間に関する情報（再生カウンタの情報等）の表示が必要となるカウンタキーの操作。なお，前記再生カウンタ情報は，前記制御部２６が，録画再生部２７からから取得して設定し，その制御部２６が備えるＥＥＰＲＯＭに記憶させる情報である。
ステップＳ２８では，前記制御部２６が，ステップＳ２６で検知した前記二次的情報表示操作に対応する情報（前記（ｅ）〜（ｈ）に示した情報）を前記二次的情報として設定し，その情報をテキスト情報として前記フロントマイコン２９へ伝送する。
【００２７】
次のステップＳ２９では，前記フロントマイコン２９が，前記制御部２６からの制御指令に従って，ステップＳ２８で設定された前記二次的情報（テキスト情報）を，前記インターフェース２３及び前記ＣＥＣライン４２を通じて前記第２の外部の映像表示装置に出力する。
一方，ステップＳ２２において前記二次的情報の表示モードが前記合成モードであると判別された場合（Ｓ２２のＮｏ），或いはステップＳ２７において前記ＯＳＤ分離キーの操作が検知された場合（Ｓ２７のＹｅｓ），前述したＳ１０，Ｓ１１と同様の処理が，Ｓ３０，Ｓ３１で行われる。
このように，第２実施形態である前記録画再生装置Ｙ，前記第１の映像表示装置Ｘ及び前記第２の映像表示装置Ｚを含むＡＶシステムにおいても，第１実施形態と同様に，前記観賞用映像と同時に表示させる必要がある前記二次的情報（前記表示対象となる情報に相当）の映像が，前記観賞用映像を表示する前記第１の外部の映像表示装置Ｘとは別の前記第２の外部の映像表示装置Ｚに表示される。その結果，前記録画再生装置Ｙは，前記観賞用映像が見づらくなる状態（美観を損なう状態）を生じさせることなく，前記二次的情報の映像も同時に表示させることができる。
また，以上に示した第２実施形態では，前記二次的情報をＣＥＣライン４２を通じて前記第２の外部の映像表示装置Ｚに出力した例を示したが，第１実施形態と同様に，前記二次的情報を表す映像信号をＴＭＤＳライン４１を通じて出力することも考えられる。この場合，第１実施形態のＳ８，Ｓ９と同様に，ステップＳ２８では，前記制御部２６が設定した前記二次的情報映像信号を前記映像処理部２２へ伝送する。そして，次のステップＳ２９では，前記映像処理部２２が，前記制御部２６からの制御指令に従って，ステップＳ２８で設定された前記二次的情報映像信号を，前記ＨＤＭＩ出力部２５及び前記ＴＭＤＳライン４１を通じて前記第２の外部の映像表示装置に出力する。この場合，電子番組表のような，多量の情報を前記第２の外部の映像表示装置に表示することが可能であり，前記観賞用映像が見づらくなる状態（美観を損なう状態）を生じさせることなく，第２の外部の映像表示装置Ｚに表示された電子番組表を使って録画予約等を行うことも可能である。
【図面の簡単な説明】
【００２８】
【図１】本発明の第１実施形態に係る映像表示装置Ｘと録画再生装置Ｙ及び外部の映像表示装置Ｚとが接続されたＡＶシステムの概略構成を表すブロック図。
【図２】映像表示装置Ｘが二次的情報を外部の映像表示装置に表示する手順を示すフローチャート。
【図３】本発明の第１実施形態における表示画面の一例を表す図。
【図４】本発明の第２実施形態に係る録画再生装置Ｙを含むＡＶシステムの概略構成を表すブロック図。
【図５】録画再生装置Ｙが二次的情報を第２の外部の映像表示装置に表示する手順を示すフローチャート。
【符号の説明】
【００２９】
１，２１，３１…チューナ
２，２２，３２…映像処理部
３…切替部
４…合成処理部
５，３５…映像表示部
６，２６，３６…制御部
７…受光部
８…リモコン
９，２９，３９…フロントマイコン
１１…ＯＳＤ発生部
１２…メモリ
１３，２３，３３…ＣＥＣインターフェース（Ｉ／Ｆ）
１４，３４…ＨＤＭＩ入力部
１５，２５…ＨＤＭＩ出力部
２７…録画再生部
４１…ＴＭＤＳライン
４２…ＣＥＣライン
【図１】
2008141562.tif 000003
【図２】
2008141562.tif 000004
【図３】
2008141562.tif 000005
【図４】
2008141562.tif 000006
【図５】
2008141562.tif 000007